(57)【要約】【課題】  表示パネルをパーシャル駆動する際の消費電力の低減を図ること。また、インターバルスキャンの際に発生するフリッカを抑制すること。【解決手段】  液晶表示装置において表示データに応じた階調数の階調電圧Ｖ０，Ｖ１，・・，Ｖ６３を生成する階調電圧生成回路２６Ｂは、該階調数に等しい階調アンプＡＶ０，・・・，ＡＶ６３を有する。これら各階調アンプＡＶには、そのオン／オフ動作を制御するアンプ動作制御信号ＣＡＶとして、階調アンプＡＶ０にはアンプ動作制御信号ＣＡＶ０が、階調アンプＡＶ１，・・・，ＡＶ６２にはアンプ動作制御信号ＣＡＶ１が、階調アンプＡＶ６３にはアンプ動作制御信号ＣＡＶ６３が、それぞれ入力される。そしてパーシャル駆動時の非表示期間において、共通電圧ＶＣＯＭのレベルに応じて、階調アンプＡＶ０，ＡＶ６３の一方のみをオン動作させ、他の階調アンプＡＶは全てオフ動作するように制御する。【選択図】図１
2007017597.tif 000002
【特許請求の範囲】
【請求項１】
複数の走査ライン及び信号ラインの各交点近傍にマトリクス状に配列された複数の表示画素を有する表示パネルの前記複数の信号ラインそれぞれに表示データに応じた階調電圧を印加して前記表示パネルを表示駆動する、全画面駆動及びパーシャル駆動が可能な表示駆動装置において、
少なくとも前記表示データの階調数に応じた複数の階調電圧を生成し、該各階調電圧を出力する複数の階調アンプを有する階調電圧生成手段と、
前記複数の階調アンプそれぞれの動作を制御する階調アンプ動作制御手段と、
を備え、
前記階調アンプ動作制御手段は、前記パーシャル駆動時の非表示期間に、前記複数の階調アンプのうち、一の階調アンプのみをオン動作させ、残りの階調アンプをオフ動作させることを特徴とする表示駆動装置。
【請求項２】
前記一の階調アンプは、前記複数の階調電圧のうちの、最高階調電圧または最低階調電圧の何れか一方を出力する階調アンプであることを特徴とする請求項１に記載の表示駆動装置。
【請求項３】
前記表示駆動装置は、前記複数の階調アンプそれぞれから出力された階調電圧のうちから前記表示データに応じた階調電圧を選択し、前記複数の信号ラインそれぞれに印加する階調電圧選択手段を備え、該階調電圧選択手段は、前記パーシャル駆動時の非表示期間に、前記一の階調アンプから出力された階調電圧を選択することを特徴とする請求項１に記載の表示駆動装置。
【請求項４】
前記階調電圧生成手段は、前記複数の階調電圧のうちの最高階調電圧より高い第１電圧と、最低階調電圧より低い第２電圧とを生成し、該第１電圧及び第２電圧を前記最高階調電圧及び最低階調電圧それぞれに代わる電圧として切り替える切替手段を有し、該切替手段は、前記パーシャル駆動時の非表示期間において、前記第１電圧及び第２電圧を前記最高階調電圧及び最低階調電圧に代わる電圧として切り替えることを特徴とする請求項１に記載の表示駆動装置。
【請求項５】
複数の走査ライン及び信号ラインの各交点近傍にマトリクス状に配列された複数の表示画素を有する表示パネルの前記複数の信号ラインそれぞれに表示データに応じた階調電圧を印加して全画面駆動及びパーシャル駆動を行う表示駆動方法において、
前記パーシャル駆動時の表示期間において、前記表示データの階調数に応じた複数の階調電圧に対応する複数の階調アンプを動作させ、前記表示データに応じた階調電圧を選択して、前記複数の信号ラインそれぞれに印加し、
前記パーシャル駆動時の非表示期間において、前記複数の階調アンプのうち、一の階調アンプをオン動作させ、残りの階調アンプをオフ動作させて、前記一の階調アンプから出力された階調電圧を選択して、前記複数の信号ラインそれぞれに印加することを特徴とする駆動制御方法。
【請求項６】
前記一の階調アンプは、前記複数の階調電圧のうちの、最高階調電圧または最低階調電圧の何れか一方を出力する階調アンプであることを特徴とする請求項５に記載の駆動制御方法。
【請求項７】
前記パーシャル駆動時の非表示期間において、前記複数の階調電圧のうちの最高階調電圧より高い第１電圧と、最低階調電圧より低い第２電圧とを生成し、前記一の階調アンプから、前記第１電圧及び第２電圧の何れか一方を前記最高階調電圧及び最低階調電圧それぞれに代わる電圧として出力することを特徴とする請求項５に記載の駆動制御方法。
【発明の詳細な説明】
【技術分野】
【０００１】
本発明は、複数の走査ライン及び信号ラインの各交点近傍にマトリクス状に配列された複数の表示画素を有する表示パネルを表示駆動する表示駆動装置及び駆動制御方法に関する。
【背景技術】
【０００２】
軽量化、薄型化が求められる携帯電話機やＰＤＡ等の携帯端末機では、表示装置として、アクティブ素子であるＴＦＴ（Thin Film Transistor：薄膜トランジスタ）を用いたアクティブマトリクス方式の液晶表示装置が多用されている。
【０００３】
図６は、アクティブマトリクス方式の液晶表示装置１の概略構成を示すブロック図である。同図によれば、液晶表示装置１は、液晶表示パネル１０と、ソース駆動回路２０と、ゲート駆動回路３０と、ＲＧＢデコーダ４０と、ＶＣＯＭ生成回路５０と、ＬＣＤコントローラ６０と、電圧生成回路７０とを備えて構成される。
【０００４】
液晶表示パネル１０には、ソース駆動回路２０に接続された複数の信号ラインＬｓ、及び、ゲート駆動回路３０に接続された複数の走査ラインＬｇがそれぞれ直交するように配設され、走査ラインＬｇと信号ラインＬｓとの各交点近傍に表示画素が二次元配列されている。
【０００５】
図７に、表示画素の等価回路を示す。同図によれば、表示画素は、アクティブ素子であるＴＦＴ１１と、ＴＦＴ１１を介して走査ラインＬｇ及び信号ラインＬｓに接続された画素電極１２と、画素電極１２と対向する位置に配置された対向電極１３と、画素電極１２と対向電極１３との間に液晶が充填されて成る画素容量（液晶容量）１４と、画素容量１４と並列に設けられ、画素容量１４に印加されたデータ信号電圧を保持する補助容量１５とから構成されている。
【０００６】
ゲート駆動回路３０によって各走査ラインＬｇに走査信号（ゲートパルス）が順次印加されて選択状態（高電位状態）となると、対応する各表示画素のＴＦＴ１１がオン動作する。そして、ソース駆動回路２０から各信号ラインＬｓに印加されたデータ信号電圧がＴＦＴ１１を介して各画素電極１２に印加されることにより、データ信号電圧と対向電極１３に印加される共通電圧ＶＣＯＭとの電圧差が各表示画素の画素容量１４に印加、充電されて、該電圧差に応じて各表示画素における液晶分子の配向状態が制御される。これにより、所望の画像が液晶表示パネル１０に表示される。
【０００７】
図６において、ソース駆動回路２０には複数の信号ラインＬｓが接続されており、ＬＣＤコントローラ６０から入力される水平制御信号や反転制御信号Ｍ、アンプ動作制御信号ＣＡＶ等の各種制御信号、電圧生成回路７０から供給される電圧ＶＳ等に基づいて、ＲＧＢデコーダ４０から入力される表示データに基づくデータ信号電圧を各信号ラインＬｓに印加する。具体的には、階調電圧生成回路により電圧ＶＳを基に生成された階調電圧のうちから表示データに応じた階調電圧を選択し、選択した階調電圧をデータ信号電圧として各信号ラインＬｓに印加する。ここで階調電圧生成回路は、所定電圧を表示データの階調数に応じて分圧し、分圧した各電圧を階調電圧として階調アンプを介して出力する。
【０００８】
ゲート駆動回路３０には複数の走査ラインＬｇが接続されており、ＬＣＤコントローラ６０から入力される垂直制御信号に基づいて、各走査ラインＬｇに走査信号を順次印加して選択状態とする。
【０００９】
ＲＧＢデコーダ４０は、液晶表示装置１の外部から入力される映像信号から、水平同期信号Ｈ、垂直同期信号Ｖ及びコンポジット同期信号ＣＳＹを抽出してＬＣＤコントローラ６０に出力するとともに、映像信号に含まれるＲＧＢの各色の表示データを抽出し、ソース駆動回路２０に出力する。
【００１０】
ＶＣＯＭ生成回路５０は、液晶表示パネル１０における各表示画素の補助容量１５に共通接続された共通ラインＬｃ及び対向電極１３に印加される共通電圧ＶＣＯＭを生成し、ＬＣＤコントローラ６０から入力される反転制御信号Ｍに応じて共通電圧ＶＣＯＭの極性を反転させて出力する。
【００１１】
ＬＣＤコントローラ６０は、ＲＧＢデコーダ４０から入力される水平同期信号Ｈ、垂直同期信号Ｖ及びコンポジット同期信号ＣＳＹに基づいて反転制御信号Ｍを生成し、ソース駆動回路２０及びＶＣＯＭ生成回路５０に出力する。また、クロック信号ＳＣＫ、シフトスタート信号ＳＴＨ及びラッチ動作制御信号ＳＴＢを含む水平制御信号やアンプ動作制御信号ＣＡＶを生成してソース駆動回路２０に出力し、垂直制御信号を生成してゲート駆動回路３０に出力する。そして、所定のタイミングで液晶表示パネル１０の表示画素を順次選択状態とし、選択状態とした表示画素にデータ信号電圧を印加して、表示データに基づく所定の画像を表示させる。
【００１２】
電圧生成回路７０は、液晶表示装置１の各部で必要な各種電圧を生成する。例えば、ソース駆動回路２０において階調電圧を生成するのに必要な電圧ＶＳを生成し、ソース駆動回路２０に供給する。
【００１３】
しかしながら、アクティブマトリクス方式の液晶表示装置には、高画質であるが高消費電力という問題がある。そこで、例えば携帯電話機や携帯情報端末機等の携帯機器では、消費電力の低減を図るため、液晶表示パネルの表示可能領域のうち、非表示領域を例えば白表示（ノーマリホワイトの場合）、或いは、黒表示（ノーマリブラックの場合）とするパーシャル駆動（部分表示）が行われる場合がある。パーシャル駆動を行う場合、フレーム単位で定期的に白書込み（ノーマリホワイトの場合）或いは黒書込み（ノーマリブラックの場合）を行うリフレッシュが行われるが、このとき、非表示領域において、表示画素における電荷のリーク等に基づいて、リフレッシュに同期した横スジが現われることがある。これを抑制するため、表示期間と非表示期間とで対向信号電圧（共通電圧）ＶＣＯＭのレベルを変化させる技術が知られている（例えば、特許文献１参照）。
【特許文献１】特開２００５−１０３６１号公報
【発明の開示】
【発明が解決しようとする課題】
【００１４】
（１）上述したアクティブマトリクス型の液晶表示装置１においてパーシャル駆動を行う場合、消費電力の低減を図るため、非表示期間において、階調電圧生成回路の複数の階調アンプのうち、不使用の階調アンプをＯＦＦすることが行われている。
【００１５】
具体的に説明する。
図８は、ソース駆動回路２０の回路構成を示すブロック図である。同図によれば、ソース駆動回路２０は、シフトレジスタ２１と、データレジスタ２２と、ラッチ回路２３と、選択回路２４と、出力バッファ２５と、階調電圧生成回路２６とを備えて構成される。
【００１６】
シフトレジスタ２１は、入力されるシフトレジスタ信号ＳＴＨを、クロック信号ＳＣＫによって順次シフトさせて出力する。データレジスタ２２は、シフトレジスタ２１から入力される信号のタイミングで入力される表示データを取り込み、出力する。
【００１７】
ラッチ回路２３は、データレジスタ２２から出力される表示データを、入力されるラッチ動作制御信号ＳＴＢに応じて取り込み、保持するとともに、表示データＤ１，Ｄ２，・・・，Ｄｎとして出力する。ここで、「ｎ」は信号ラインＬｓの本数である。
【００１８】
選択回路２４は、階調電圧生成回路２６から入力される階調電圧のうちから、ラッチ回路２３から入力される表示データＤ１，Ｄ２，・・・，Ｄｎそれぞれに対応する階調電圧を選択し、データ信号電圧として出力する。出力バッファ２５は、選択回路２４から出力された各データ信号電圧をソース出力Ｓ１，Ｓ２，・・・，Ｓｎとして信号ラインＬｓそれぞれに出力する。
【００１９】
階調電圧生成回路２６は、供給される電圧ＶＳを分圧し、表示データの階調数に等しい階調電圧を生成して出力する。
【００２０】
図９は、従来の階調電圧生成回路２６Ａの回路構成を示す図である。この階調電圧生成回路２６Ａは、表示データを例えば６ビットとした場合、表示データの階調数に等しい６４の階調電圧Ｖ０，Ｖ１，・・・，Ｖ６３を生成して出力するものであり、電圧レベル作成回路２６１Ａと、γ調整回路２６２Ａと、階調アンプ群２６５Ａとを備えて構成される。
【００２１】
電圧レベル作成回路２６１Ａは、直列接続された複数個の抵抗Ｒ０，Ｒ１，・・・，Ｒｍを有する。抵抗Ｒ０の一端には電圧ＶＳが印加され、抵抗Ｒｍの一端は接地されており、これらの抵抗Ｒ０，Ｒ１，・・・，Ｒｍの各接続点の電圧を階調基準電圧ＶＰ０，ＶＰ１，・・・，ＶＰｍとしてγ調整回路２６２Ａに供給する。ここで、例えば、最高階調基準電圧ＶＰ０及び最低階調基準電圧ＶＰｍは、下記の最高階調電圧Ｖ０及び最低階調電圧Ｖ６３に設定される。
【００２２】
γ調整回路２６２Ａは、電圧レベル作成回路２６１Ａから供給される複数の階調基準電圧ＶＰ０，ＶＰ１，・・・，ＶＰｍから必要なガンマ特性に応じた、表示データの階調数に等しい６４の階調電圧を選択し、階調電圧Ｖ０，Ｖ１，・・・，Ｖ６３として、階調アンプ群２６５Ａに供給する。
【００２３】
階調アンプ群２６５Ａは、表示データの階調数に等しい６４個の階調アンプＡＶ０，ＡＶ１，・・・，ＡＶ６３から成る。階調アンプＡＶ０，ＡＶ１，・・・，ＡＶ６３は、それぞれ、γ調整回路２６２Ａから供給される階調電圧Ｖ０，Ｖ１，・・・，Ｖ６３を選択回路２４に供給するためのバッファ回路であって、各階調電圧の値を安定化するものである。また、各階調アンプＡＶにはアンプ動作制御信号ＣＡＶが入力され、このアンプ動作制御信号ＣＡＶに応じて動作のオン／オフが制御される。即ち、階調アンプＡＶ０，ＡＶ６３にはアンプ動作制御信号ＣＡＶ０が入力され、階調アンプＡＶ１〜ＡＶ６２にはアンプ動作制御信号ＣＡＶ１が入力される。
【００２４】
このように構成される液晶表示装置１をパーシャル駆動する場合の従来の駆動制御方法を説明する。但し、図１０に示すように、液晶表示パネル１０の表示可能領域は表示領域１０Ａと非表示領域１０Ｂとに分けられ、表示領域１０Ａにはゲート出力Ｇ１，Ｇ２，・・・，Ｇ１６が対応し、非表示領域１０Ｂにはゲート出力Ｇ１７，Ｇ１８，・・・，Ｇ１６０が対応することとする。
【００２５】
図１１は、従来の駆動制御方法を説明するためのタイムチャートである。同図中、上から順に、ゲート出力Ｇ１，Ｇ２，・・・，Ｇ１６０、反転制御信号Ｍ、ソース出力Ｓｍ、共通電圧ＶＣＯＭ、アンプ動作制御信号ＣＡＶ０，ＣＡＶ１、のそれぞれの信号波形と、各期間においてオン動作する階調アンプＡＶとを示している。
【００２６】
同図に示すように、１画面を表示する表示期間（１画面表示期間）は、表示領域１０Ａに対応する各走査ラインＬｇを走査する表示期間と、非表示領域１０Ｂに対応する各走査ラインＬｇを走査する非表示期間とから成る。
【００２７】
先ず、第１フレームにおいて、共通電圧ＶＣＯＭはハイレベルである。そして表示期間では、ゲート出力Ｇ１，Ｇ２，・・・，Ｇ１６が順次ハイレベルとなり、表示領域１０Ａの各走査ラインＬｇが順次選択状態とされる。また、アンプ動作制御信号ＣＡＶ０，ＣＡＶ１がともにハイレベルであり、階調アンプＡＶ０，ＡＶ２，・・・，ＡＶ６３の全てがオン動作する。そして、ソース出力Ｓｍとして、表示データに応じたデータ信号電圧が、表示領域１０Ａの各信号ラインＬｓに印加される。このとき、ソース出力Ｓｍのレベルは、階調電圧Ｖ０からＶ６３の範囲のレベルとなる。
【００２８】
次いで、非表示期間では、ゲート出力Ｇ１７，Ｇ１８，・・・，Ｇ１６０が順次ハイレベルとなり、非表示領域１０Ｂの各走査ラインＬｇが順次選択状態とされる。また、アンプ動作制御信号ＣＡＶ１がロウレベルとなり、階調アンプＡＶ１，ＡＶ２，・・・，ＡＶ６２がオフ動作して、階調アンプＡＶ０，ＡＶ６３のみがオン動作する。そして、ソース出力Ｓｍとして、階調アンプＡＶ０から出力される階調電圧Ｖ０が、非表示領域１０Ｂの各信号ラインＬｓに印加される。ここで階調電圧ＶＡ０が選択されるのは、共通電圧ＶＣＯＭがハイレベルであるためである。
【００２９】
続いて、第２フレームでは、共通電圧ＶＣＯＭがロウレベルとなる。そして表示期間において、第１フレームと同様に、ゲート出力Ｇ１，Ｇ２，・・・，Ｇ１６が順次ハイレベルとなり、表示領域１０Ａの各走査ラインＬｇが順次選択状態とされる。また、アンプ動作制御信号ＣＡＶ０，ＣＡＶ１がともにハイレベルであり、階調アンプＡＶ０，ＶＡ１，・・・，ＶＡ６３の全てがオン動作する。そして、ソース出力Ｓｍとして、表示データに応じたデータ信号電圧が、表示領域１０Ａの各信号ラインＬｓに印加される、
【００３０】
次いで、非表示期間において、第１フレームと同様に、ゲート出力Ｇ７１，Ｇ１８，・・・，Ｇ１６０が順次ハイレベルとなり、非表示領域１０Ｂの各走査ラインＬｇが順次選択状態とされる。また、アンプ動作制御信号ＣＡＶ１がロウレベルとなり、階調アンプＡＶ１，ＡＶ２，・・・，ＡＶ６２がオフ動作して、階調アンプＡＶ０，ＡＶ６３のみがオン動作する。そして、ソース出力Ｓｍとして、第１フレームとは異なり、共通電圧ＶＣＯＭがロウレベルであるため、階調アンプＡＶ６３から出力される階調電圧Ｖ６３が、非表示領域１０Ｂの各信号ラインＬｓに印加される。
【００３１】
その後、第３フレームでは、共通電圧ＶＣＯＭがハイレベルとなり、各信号は第１フレームと同様に変化する。即ち、表示期間において、アンプ動作制御信号ＣＡＶ０，ＣＡＶ１がともにハイレベルとなって階調アンプＡＶ０，ＡＶ１，・・・，ＡＶ６３の全てがオン動作し、ソース出力Ｓｍとして、表示データに応じたデータ信号電圧が表示領域１０Ａの各信号ラインＬｓに印加される。また、非表示期間において、アンプ動作制御信号ＣＡＶ１がロウレベルとなって階調アンプＡＶ１，ＡＶ２，・・・，ＡＶ６２がオフ動作するとともに階調アンプＡＶ０，ＡＶ６３のみがオン動作し、ソース出力Ｓｍとして、階調アンプＡＶ０から出力される階調電圧Ｖ０が非表示領域１０Ｂの各信号ラインＬｓに印加される。
また、以降の各フレームにおいても同様である。
【００３２】
このように、従来の駆動制御方法では、各フレームの非表示期間において、アンプ動作制御信号ＣＡＶ１をロウレベルとして階調アンプＡＶ１、ＡＶ２，・・，ＡＶ６２をオフ動作させ、階調アンプＡＶ０，ＡＶ６３のみをオン動作させることで、消費電力の低減を図っている。
【００３３】
しかしながら、各フレームの非表示期間において、ソース出力Ｓｍとして、階調アンプＡＶ０，ＡＶ６３から出力される階調電圧Ｖ０，Ｖ６３の何れかが選択され、データ信号電圧として非表示領域１０Ｂの各信号ラインＬｓに印加される。即ち、同図では、第１フレーム、第３フレーム等の奇数番目のフレームでは階調電圧Ｖ０が、第２フレーム、第４フレーム等の偶数番目のフレームでは階調電圧Ｖ６３が、それぞれ選択される。
【００３４】
つまり、非表示期間では、階調アンプＡＶ０，ＡＶ６３がオン動作されるが、実際には、一方のみが使用されて他方は不使用であるため、不使用の階調アンプの消費電力が無駄になっているという問題があった。
【００３５】
（２）また、液晶表示装置においてパーシャル駆動を行う場合、消費電力の更なる低減のため、非表示領域１０Ｂに対応する走査ラインＬｇの走査を間引くインターバルスキャンが行われる場合がある。即ち、例えばフレーム反転駆動の場合、本来ならば１フレーム毎に行っていた走査ラインＬｇの走査が複数フレーム毎に行われる。
【００３６】
図１２は、従来のインターバルスキャンを説明するためのタイムチャートである。但し、図１０に示したように、液晶表示パネル１０の表示可能領域は表示領域１０Ａと非表示領域１０Ｂとに分けられ、表示領域１０Ａにはゲート出力Ｇ１，Ｇ２，・・・，Ｇ１６が対応し、非表示領域１０Ｂにはゲート出力Ｇ１７，Ｇ１８，・・・，Ｇ１６０が対応することとする。
【００３７】
図１２において、上から順に、ゲート出力Ｇ１，Ｇ２，・・・，Ｇ１６０、反転制御信号Ｍ、ソース出力Ｓｍ、共通電圧ＶＣＯＭ、アンプ動作制御信号ＣＶＡ０，ＣＶＡ１、のそれぞれの信号波形と、各期間においてオン動作している階調アンプＡＶとを示している。
【００３８】
同図によれば、第１フレームの非表示期間において、ゲート出力Ｇ１７，Ｇ１８，・・・，Ｇ１６０が順次ハイレベルとなり、非表示領域１０Ｂの各走査ラインＬｇが順次選択状態とされる。また、アンプ動作制御信号ＣＡＶ０がハイレベル、アンプ動作制御信号ＣＡＶ１がロウレベルであり、階調アンプＡＶ０，ＡＶ６３のみがオン動作して他の階調アンプＡＶ１，ＡＶ２，・・・，ＡＶ６２はオフ動作する。そして、ソース出力Ｓｍとして、階調アンプＡＶ０から出力される階調電圧Ｖ０が非表示領域１０Ｂの各走査ラインＬｇに印加され、対応する各表示画素の画素容量１４には、この階調電圧Ｖ０と共通電圧ＶＣＯＭとの電圧差が印加、充電される。
【００３９】
続く第２フレーム及び第３フレームの非表示期間においては、ゲート出力Ｇ１７，Ｇ１８，・・・，Ｇ１６０はロウレベルのままであり、非表示領域１０Ｂの各走査ラインＬｇは選択状態とならない。従って、非表示領域１０Ｂの各表示画素の画素容量１４は、直前フレームでの電位、即ち第１フレームでの充電電圧を保持する。尚このとき、アンプ動作制御信号ＣＡＶ１がロウレベルとなり、階調アンプＡＶ１，ＡＶ２，・・・，ＡＶ６２がオフ動作し、階調アンプＡＶ０，ＡＶ６３のみがオン動作する。そして、第２フレームの非表示期間では階調アンプＡＶ６３から出力される階調電圧Ｖ６３が、第３フレームの非表示期間では階調アンプＡＶ０から出力される階調電圧Ｖ０が、それぞれソース出力Ｓｍとなる。
【００４０】
その後、第４フレームの非表示期間において、第１フレームと同様に、ゲート出力Ｇ１７，Ｇ１８，・・・，Ｇ１６０が順次ハイレベルとなり、非表示領域１０Ｂの各走査ラインＬｇが順次選択状態とされる。そして、ソース出力Ｓｍとして、階調アンプ６３から出力される階調電圧Ｖ６３が非表示領域１０Ｂの各走査ラインＬｇに印加され、対応する各表示画素の画素容量１４には、この階調電圧Ｖ６３と共通電圧ＶＣＯＭとの電圧差が印加、充電される。
以降の各フレームについても同様である。
【００４１】
このように、非表示期間における走査ラインＬｇの走査を複数フレーム（同図では、３フレーム）毎に行うインターバルスキャンにより、１フレーム毎に走査する場合と比較して消費電力の低減が図られる。しかしながら、インターバルスキャンを行った場合、非表示領域の走査間隔が長くなる（同図では、３倍）ことになり、各表示画素の画素容量１４に保持された電荷のリークによるフリッカが生じるという問題があった。
【００４２】
上記事情に鑑み、本発明の第１の目的は、表示パネルをパーシャル駆動する際の消費電力の低減を図ることであり、第２の目的は、インターバルスキャンの際に発生するフリッカを抑制することである。
【課題を解決するための手段】
【００４３】
上記課題を解決するため、請求項１に記載の発明は、複数の走査ライン及び信号ラインの各交点近傍にマトリクス状に配列された複数の表示画素を有する表示パネルの前記複数の信号ラインそれぞれに表示データに応じた階調電圧を印加して前記表示パネルを表示駆動する、全画面駆動及びパーシャル駆動が可能な表示駆動装置において、少なくとも前記表示データの階調数に応じた複数の階調電圧を生成し、該各階調電圧を出力する複数の階調アンプを有する階調電圧生成手段と、前記複数の階調アンプそれぞれの動作を制御する階調アンプ動作制御手段と、を備え、前記階調アンプ動作制御手段は、前記パーシャル駆動時の非表示期間に、前記複数の階調アンプのうち、一の階調アンプのみをオン動作させ、残りの階調アンプをオフ動作させることを特徴とする。
【００４４】
請求項２に記載の発明は、請求項１に記載の表示駆動装置において、前記一の階調アンプは、前記複数の階調電圧のうちの、最高階調電圧または最低階調電圧の何れか一方を出力する階調アンプであることを特徴とする。
【００４５】
請求項３に記載の発明は、請求項１に記載の表示駆動装置において、前記表示駆動装置は、前記複数の階調アンプそれぞれから出力された階調電圧のうちから前記表示データに応じた階調電圧を選択し、前記複数の信号ラインそれぞれに印加する階調電圧選択手段を備え、該階調電圧選択手段は、前記パーシャル駆動時の非表示期間に、前記一の階調アンプから出力された階調電圧を選択することを特徴とする。
【００４６】
請求項４に記載の発明は、請求項１に記載の表示駆動装置において、前記階調電圧生成手段は、前記複数の階調電圧のうちの最高階調電圧より高い第１電圧と、最低階調電圧より低い第２電圧とを生成し、該第１電圧及び第２電圧を前記最高階調電圧及び最低階調電圧それぞれに代わる電圧として切り替える切替手段を有し、該切替手段は、前記パーシャル駆動時の非表示期間において、前記第１電圧及び第２電圧を前記最高階調電圧及び最低階調電圧に代わる電圧として切り替えることを特徴とする。
【００４７】
請求項５に記載の発明は、複数の走査ライン及び信号ラインの各交点近傍にマトリクス状に配列された複数の表示画素を有する表示パネルの前記複数の信号ラインそれぞれに表示データに応じた階調電圧を印加して全画面駆動及びパーシャル駆動を行う表示駆動方法において、前記パーシャル駆動時の表示期間において、前記表示データの階調数に応じた複数の階調電圧に対応する複数の階調アンプを動作させ、前記表示データに応じた階調電圧を選択して、前記複数の信号ラインそれぞれに印加し、前記パーシャル駆動時の非表示期間において、前記複数の階調アンプのうち、一の階調アンプをオン動作させ、残りの階調アンプをオフ動作させて、前記一の階調アンプから出力された階調電圧を選択して、前記複数の信号ラインそれぞれに印加することを特徴とする。
【００４８】
請求項６に記載の発明は、請求項５に記載の駆動制御方法において、前記一の階調アンプは、前記複数の階調電圧のうちの、最高階調電圧または最低階調電圧の何れか一方を出力する階調アンプであることを特徴とする。
【００４９】
請求項７に記載の発明は、請求項５に記載の駆動制御方法において、前記パーシャル駆動時の非表示期間において、前記複数の階調電圧のうちの最高階調電圧より高い第１電圧と、最低階調電圧より低い第２電圧とを生成し、前記一の階調アンプから、前記第１電圧及び第２電圧の何れか一方を前記最高階調電圧及び最低階調電圧それぞれに代わる電圧として出力することを特徴とする。
【発明の効果】
【００５０】
本発明によれば、表示パネルをパーシャル駆動する際、非表示期間において、複数の階調アンプのうち、一の階調アンプのみがオン動作されるとともに残りの他の階調アンプがオフ動作され、このオン動作された一の階調アンプから出力される階調電圧が、表示パネルの複数の信号ラインそれぞれに印加される。即ち、非表示期間において、使用される一の階調アンプのみがオン動作され、不使用の他の階調アンプがオフ動作されるので、表示パネルをパーシャル駆動する際の消費電力の低減が実現される。
【００５１】
また、パーシャル駆動時の非表示期間において、表示データの階調数に応じた複数の階調電圧のうち、最高階調電圧に代わる電圧としてこの最高階調電圧より高い第１電圧に切り替えられるとともに、最低階調電圧に代わる電圧としてこの最低階調電圧より低い第２電圧に切り替えられ、この第１電圧又は第２電圧が表示パネルの複数の信号ラインそれぞれに印加される。従って、第１電圧と第２電圧との電圧差を共通電圧の振幅とほぼ同一にすることにより、非表示期間における各表示画素への書込み電圧をほぼゼロとすることができるため、各表示画素の充電電荷のリークによるフリッカの発生を抑制できる。
【発明を実施するための最良の形態】
【００５２】
以下、図面を参照して、本発明に好適な実施形態を説明する。尚、以下では、本発明を液晶表示装置に適用した場合を説明するが、本発明を適用可能な実施形態がこれに限定されるものではない。
【００５３】
〔第１実施形態〕
先ず、第１実施形態を説明する。
第１実施形態は、図９に示した階調電圧生成回路２６Ａを、図１に示す構成とした実施形態である。尚、同図において、図９に示した従来の構成と同一の構成要素については同符号を付している。
【００５４】
図１は、第１実施形態における階調電圧生成回路２６Ｂの回路構成を示す図である。階調電圧生成回路２６Ｂは、図９に示した従来の階調電圧生成回路２６Ａと同様に、表示データの階調数に等しい６４の階調電圧Ｖ０，Ｖ１，・・・，Ｖ６３を生成して出力するものである。図１によれば、階調電圧生成回路２６Ｂは、電圧レベル作成回路２６１Ａと、γ調整回路２６２Ａと、階調アンプ群２６５Ｂとを備えて構成される。
【００５５】
階調アンプ群２６５Ｂは、表示データの階調数に等しい６４個の階調アンプＡＶ０，ＡＶ１，・・・，ＡＶ６３から成る。そして、各階調アンプＡＶには、アンプ動作制御信号ＣＡＶとして、階調アンプＡＶ０にはアンプ動作制御信号ＣＡＶ０が入力され、階調アンプＡＶ１，・・・，ＡＶ６２にはアンプ動作制御信号ＣＡＶ２が入力され、階調アンプＡＶ６３にはアンプ動作制御信号ＣＡＶ６３が入力される。
【００５６】
図２は、第１実施形態における駆動制御方法を説明するためのタイムチャートである。同図中、上から順に、ゲート出力Ｇ１，Ｇ２，・・・，Ｇ１６０、反転制御信号Ｍ、ソース出力Ｓｍ、共通電圧ＶＣＯＭ、アンプ動作制御信号ＣＡＶ０，ＣＡＶ１，ＣＡＶ６３、のそれぞれの信号波形と、各期間においてオン動作する階調アンプＡＶとを示している。
【００５７】
同図によれば、第１フレームでは、共通電圧ＶＣＯＭがハイレベルである。表示期間において、アンプ動作制御信号ＣＡＶ０，ＣＡＶ１，ＣＡＶ６３が全てハイレベルであり、階調アンプＡＶ０，ＶＡ１，・・・，ＡＶ６３の全てがオン動作する。そして、ソース出力Ｓｍとして、表示データに応じたデータ信号電圧が表示領域１０Ａの各信号ラインＬｓに印加される。このとき、ソース出力Ｓｍのレベルは、階調電圧Ｖ０からＶ６３の範囲のレベルである。
【００５８】
非表示期間では、アンプ動作制御信号ＣＡＶ１，ＣＡＶ６３がロウレベルとなり、アンプ動作制御信号ＣＡＶ０がハイレベルとなって、階調アンプＡＶ０のみがオン動作して、他の階調アンプＡＶ１，ＡＶ２，・・・，ＡＶ６３はオフ動作する。そして、ソース出力Ｓｍとして、階調アンプＡＶ０から出力される階調電圧Ｖ０が、非表示領域１０Ｂの各走査ラインＬｇに印加される。
【００５９】
次いで、第２フレームでは、共通電圧ＶＣＯＭがロウレベルとなる。表示期間においては、第１フレームと同様に、アンプ動作制御信号ＣＡＶ０，ＣＡＶ１，ＣＡＶ６３が全てハイレベルとなり、階調アンプＡＶ０，ＡＶ１，・・・，ＡＶ６３の全てがオン動作する。そして、ソース出力Ｓｍとして、表示データに応じたデータ信号電圧が、表示領域１０Ａの各走査ラインＬｇに印加される。
【００６０】
非表示期間では、アンプ動作制御信号ＣＡＶ０，ＣＡＶ１がロウレベルとなり、アンプ動作制御信号ＣＡＶ１がハイレベルとなって、階調アンプＡＶ６３のみがオン動作するとともに、他の階調アンプＡＶ０，ＡＶ１，・・・，ＡＶ６２がオフ動作する。そして、ソース出力Ｓｍとして、階調アンプＡＶ６３から出力される階調電圧Ｖ６３が、非表示領域１０Ｂの各走査ラインＬｇに印加される。
【００６１】
続く第３フレームは第１フレームと同様である。即ち、表示期間において、アンプ動作制御信号ＣＡＶ０，ＣＡＶ１，ＣＡＶ６３が全てハイレベルとなり、階調アンプＡＶ０，ＡＶ１，・・・，ＡＶ６３の全てがオン動作する。そして、ソース出力Ｓｍとして、表示データに応じたデータ信号電圧が、表示領域１０Ａの各走査ラインＬｇに印加される。
【００６２】
また、非表示期間において、アンプ動作制御信号ＣＡＶ１，ＣＡＶ６３がロウレベルとなり、階調アンプＡＶ０のみがオン動作して、他の階調アンプＡＶ１，ＡＶ２，・・・，ＡＶ６３がオフ動作する。そして、ソース出力Ｓｍとして、階調アンプＡＶ０から出力される階調電圧Ｖ０が、非表示領域１０Ｂの各信号ラインＬｓに印加される。
【００６３】
このように、第１実施形態における階調電圧生成回路２６Ｂでは、各階調アンプＡＶのオン／オフ動作を制御するアンプ動作制御信号ＣＡＶとして、最高階調電圧Ｖ０を出力する階調アンプＡＶ０にはアンプ動作制御信号ＣＡＶ０が、最低階調電圧Ｖ６３を出力する階調アンプＡＶ６３にはアンプ動作制御信号ＣＡＶ６３が、それぞれ入力される。即ち、階調アンプＡＶ０と階調アンプＡＶ６３とのオン／オフ動作が別々に制御される。そして、各フレームの非表示期間において、階調アンプＡＶ０及び階調アンプＡＶ６３のうちの使用される一方のみがオン動作し、他の全ての階調アンプＡＶがオフ動作するよう、制御される。このため、液晶表示パネル１０をパーシャル駆動する際の消費電力の低減を実現できる。
【００６４】
なお、上記においては、パーシャル駆動時の非表示領域を白表示又は黒表示するために、各フレームの非表示期間において、最高階調電圧対応した階調アンプ及び最低階調電圧の何れか一方に対応した一つ階調アンプのみをオン動作させることとしたが、パーシャル駆動時において、非表示領域を白又は黒以外の他の階調表示状態とするものであってもよく、その場合、非表示領域の表示階調に対応した一つの階調アンプのみをオン動作させるものであってもよい。
【００６５】
〔第２実施形態〕
次に、第２実施形態を説明する。
第２実施施形態は、図９に示した階調電圧生成回路２６Ａを図３に示す構成とした実施形態であり、図９に示した従来の構成と同一の構成要素については同符号を付し、詳細な説明を省略する。
【００６６】
図３は、第２実施形態における階調電圧生成回路２６Ｃの回路構成を示す図である。同図によれば、階調電圧生成回路２６Ｃは、電圧レベル作成回路２６１Ｃと、γ調整回路２６２Ｃと、階調アンプ群２６５Ｃとを備えて構成される。
【００６７】
電圧レベル作成回路２６１Ｃは、直列接続された複数の抵抗Ｒ０´，Ｒ０，Ｒ１，・・・，Ｒｍ―１，Ｒｍ，Ｒｍ´を有する。そして、抵抗Ｒ０，Ｒ１，・・・，Ｒｍ―１，Ｒｍの各接続点の電圧を階調基準電圧ＶＰ０，ＶＰ１，・・・，ＶＰｍとしてγ調整回路２６２Ｃに供給する。ここで、抵抗Ｒ０，Ｒ１の接続点の電圧を階調電圧Ｖ０に設定し、抵抗Ｒ０´，Ｒ０の接続点の電圧を、最高階調電圧Ｖ０より高い第１電圧である階調電圧Ｖ０´に設定してγ調整回路２６２Ｃに供給し、抵抗Ｒｍ―１，Ｒｍの接続点の電圧を最低階調電圧Ｖ６３に設定し、抵抗Ｒｍ，Ｒｍ´の接続点の電圧を、最低階調電圧Ｖ６３より低い第２電圧である階調電圧Ｖ６３´に設定してγ調整回路２６２Ｃに供給する。
【００６８】
ここで、階調電圧Ｖ０´，Ｖ６３´は、その電圧差が共通電圧ＶＣＯＭの振幅に等しくなるように設定される。即ち、共通電圧ＶＣＯＭのハイレベルをＶＣＯＭＨ、ロウレベルをＶＣＯＭＬとすると、階調電圧Ｖ０´，Ｖ６３´は、次式を満足するように設定される。
｜Ｖ０´−Ｖ６３´｜＝｜ＶＣＯＭＨ−ＶＣＯＭＬ｜
【００６９】
γ調整回路２６２Ｃは、γ調整回路２６２Ａに対し、更に、Ｖ０切替回路２６３と、Ｖ６３切替回路２６４とを有している。Ｖ０切替回路２６３は、入力される切替制御信号ＣＶ０に応じて、電圧レベル作成回路２６１Ｃから供給される電圧Ｖ０，Ｖ０´を切り替え、後段の階調アンプＡＶ０に出力する。Ｖ６３切替回路２６４は、入力される切替制御信号ＣＶ０に応じて、電圧レベル作成回路２６１Ｃから供給される電圧Ｖ６３，Ｖ６３´を切り替え、後段の階調アンプＡＶ６３に出力する。
【００７０】
階調アンプ群２６５Ｃは、６４個の階調アンプＡＶ０，ＡＶ１，・・・，ＡＶ６３から成る。各階調アンプＡＶには、アンプ動作制御信号ＣＡＶとして、階調アンプＡＶ０にはアンプ動作制御信号ＣＡＶ０が入力され、階調アンプＡＶ１，・・，ＡＶ６２にはアンプ動作制御信号ＣＡＶ１が入力され、階調アンプＡＶ６３にはアンプ動作制御信号ＣＡＶ６３が入力される。
【００７１】
第２実施形態における駆動制御方法を従来の駆動制御方法と比較しながら説明する。但し、図１０に示したように表示領域１０Ａ及び非表示領域１０Ｂが設定された液晶表示パネル１０をパーシャル駆動するとともに、３フレーム毎のインターバルスキャンを行うこととする。
【００７２】
図４は、従来の駆動制御方法を説明するためのタイムチャートであり、図１２に示したタイムチャートの要部を示すものである。図４において、上から順に、反転制御信号Ｍ、ソース出力Ｓｍ、共通電圧ＶＣＯＭ、アンプ動作制御信号ＣＶＡ０，ＣＡＶ１、のそれぞれの信号波形を示している。
【００７３】
同図によれば、第１フレームでは、共通電圧ＶＣＯＭはハイレベルである。表示期間において、ゲート出力Ｇ１，Ｇ２，・・・，Ｇ１６が順次ハイレベルとなり、表示領域１０Ａの各走査ラインＬｇが順次選択状態とされる。また、アンプ動作制御信号ＣＡＶ０，ＣＡＶ１がともにハイレベルであり、階調アンプＡＶ０，ＡＶ１，・・，ＡＶ６３の全てがオン動作する。そして、ソース出力Ｓｍのレベルは、階調電圧Ｖ０からＶ６３までの範囲のレベルとなる。
【００７４】
次いで、非表示期間において、アンプ動作制御信号ＣＡＶ１がロウレベルとなり、階調アンプＡＶ０，ＡＶ６３のみがオン動作して、他の階調アンプＡＶ１，ＶＡ２，・・・，ＡＶ６２がオフ動作する。そして、ソース出力Ｓｍは、共通電圧ＶＣＯＭがハイレベルであるので、階調アンプＡＶ０から出力される階調電圧Ｖ０となる。
【００７５】
このとき、非表示領域１０Ｂの各表示画素の画素容量１４には、ソース出力Ｓｍと共通電圧ＶＣＯＭとの電圧差が印加、充電される。第１フレームにおいて、共通電圧ＶＣＯＭはハイレベルであるので、各画素容量１４に印加される電圧の大きさは、｜ＶＣＯＭＨ−Ｖ０｜、となる。
【００７６】
続く第２フレーム及び第３フレームでは、表示期間において、第１フレームと同様に、ゲート出力Ｇ１，Ｇ２，・・・，Ｇ１６が順次選択ハイレベルとなり、表示領域１０Ａの各走査ラインＬｇが順次選択状態となる。また、アンプ動作制御信号ＣＡＶ０，ＣＡＶ１がともにハイレベルとなり、階調アンプＡＶ０，ＡＶ１，・・，ＡＶ６３の全てがオン動作する。そして、ソース出力Ｓｍのレベルは、階調電圧Ｖ０からＶ６３までの範囲のレベルとなる。
【００７７】
非表示期間においては、ゲート出力Ｇ１，Ｇ２，・・・，Ｇ１６はハイレベルとならず、非表示領域１０Ｂの各走査ラインＬｇは、何れも選択状態とならない。従って、非表示領域１０Ｂの各画素容量１４は、直前フレームでの充電電位、即ち第１フレームでの充電電位を保持する。尚このとき、アンプ動作制御信号ＣＡＶ０がロウレベルとなり、階調アンプＡＶ０，ＡＶ６３がオン動作して、他の階調アンプＡＶ１，ＡＶ２，・・・，ＡＶ６２はオフ動作する。そして、ソース出力Ｓｍは、第２フレームでは階調アンプＶＡ６３から出力される階調電圧Ｖ６３となり、第３フレームでは階調アンプＡＶ０から出力される階調電圧Ｖ０となる。
【００７８】
その後、第４フレームでは、共通電圧ＶＣＯＭはロウレベルである。表示期間においては、第１フレームと同様に、ゲート出力Ｇ１，Ｇ２，・・・，Ｇ１６が順次ハイレベルとなり、表示領域１０Ａの各走査ラインＬｇが順次選択状態とされる。また、アンプ動作制御信号ＣＡＶ０，ＣＡＶ１がともにハイレベルであり、階調アンプＡＶ０，ＡＶ１，・・，ＡＶ６３の全てがオン動作する。そして、ソース出力Ｓｍのレベルは、階調電圧Ｖ０からＶ６３までの範囲のレベルとなる。
【００７９】
非表示期間においては、アンプ動作制御信号ＣＡＶ１がロウレベルとなり、階調アンプＡＶ０，ＡＶ６３のみがオン動作して、他の階調アンプＡＶ１，ＶＡ２，・・・，ＡＶ６２がオフ動作する。そして、ソース出力Ｓｍは、共通電圧ＶＣＯＭがロウレベルであるので、階調アンプＡＶ６３から出力される階調電圧Ｖ０となる。
【００８０】
このとき、非表示領域１０Ｂの各画素容量１４に印加、充電される電圧の大きさは、共通電圧ＶＣＯＭはロウレベルであるので、｜ＶＣＯＭＬ−Ｖ６３｜、となる。
【００８１】
従って、従来の駆動制御方法によれば、各フレームの非表示期間において非表示領域１０Ｂの各画素容量１４に印加、充電される電圧の平均値は、次式で与えられる。
（（共通電圧ＶＣＯＭの振幅）−（ソース出力Ｓｍの振幅））／２
＝（｜ＶＣＯＭＨ−ＶＣＯＭＬ｜−｜Ｖ０−Ｖ６３｜）／２
【００８２】
ここで、共通電圧ＶＣＯＭの振幅と、階調電圧Ｖ０，Ｖ６３の電圧差とは一致しない。例えば、共通電圧ＶＣＯＭの振幅は５Ｖ程度であり、階調電圧Ｖ０，Ｖ６３の電圧差は３Ｖ程度であり、この場合、非表示領域１０Ｂの各画素容量１４には１Ｖ程度の電圧が印加されることになる。このように、非表示領域１０Ｂの各画素容量１４に印加される電圧がゼロでなく、また、インターバルスキャンにより非表示領域の走査間隔が長くなるため、走査間隔の間にこれら各画素容量１４の充電電荷がリークによって次第に減少し、それによるフリッカが発生する。
【００８３】
これに対して、第２実施形態では次のように駆動制御する。
図５は、第２実施形態における駆動制御方法を説明するためのタイムチャートであり、上から順に、反転制御信号Ｍ、ソース出力Ｓｍ、共通電圧ＶＣＯＭ、アンプ動作制御信号ＣＡＶ０，ＣＡＶ１，ＣＡＶ６３、切替制御信号ＣＶ０、のそれぞれの信号波形を示している。
【００８４】
同図によれば、第１フレームでは、共通電圧ＶＣＯＭはハイレベルである。表示期間においては、アンプ動作制御信号ＣＡＶ０，ＣＡＶ１，ＣＡＶ６３の全てがハイレベルであり、階調アンプＡＶ０，ＶＡ１，・・・，ＡＶ６３の全てがオン動作する。また、切替制御信号ＣＶ０はロウレベルであり、Ｖ０切替回路２６３から電圧Ｖ０が出力され、Ｖ６３切替回路２６４から電圧Ｖ６３が出力される。そして、ソース出力Ｓｍのレベルは、階調電圧Ｖ０からＶ６３の範囲のレベルとなる。
【００８５】
次いで、非表示期間においては、アンプ動作制御信号ＡＶ１，ＡＶ６３がロウレベルとなり、階調アンプＡＶ０のみがオン動作して、他の階調アンプＡＶ１，ＡＶ２，・・・，ＡＶ６３はオフ動作する。また、切替制御信号ＣＶ０がハイレベルとなり、Ｖ０切替回路２６３から階調電圧Ｖ０´が出力され、Ｖ６３切替回路２６４から階調電圧Ｖ６３´が出力される。そして、ソース出力Ｓｍは、階調アンプＶＡ０から出力される階調電圧Ｖ０´となる。
【００８６】
このとき、非表示領域１０Ｂの各画素容量１４に印加、充電される電圧の大きさは、共通電圧ＶＣＯＭがハイレベルであるので、｜ＶＣＯＭＨ−Ｖ０´｜、となり、ほぼ０Ｖとなる。
【００８７】
続く第２フレーム、第３フレームでは、表示期間において、第１フレームと同様に、アンプ動作制御信号ＣＡＶ０，ＣＡＶ１，ＣＡＶ６３の全てがハイレベルであり、階調アンプＡＶ０，ＶＡ１，・・・，ＡＶ６３の全てがオン動作する。また、切替制御信号ＣＶ０はロウレベルであり、Ｖ０切替回路２６３から電圧Ｖ０が出力され、Ｖ６３切替回路２６４から電圧Ｖ６３が出力される。そして、ソース出力Ｓｍのレベルは、階調電圧Ｖ０からＶ６３の範囲のレベルとなる。
【００８８】
非表示期間においては、ゲート出力Ｇ１７，Ｇ１８，・・・，Ｇ１６０がハイレベルとならず、非表示領域１０Ｂの各走査ラインＬｇが選択状態とならない。従って、非表示領域１０Ｂの各画素容量１４は、直前フレームでの充電電位、即ち第１フレームでの充電電位を保持する。尚このとき、第２フレームでは、アンプ動作制御信号ＣＡＶ０，ＣＡＶ１がロウレベルとなって階調アンプＡＶ６３のみがオン動作し、第３フレームでは、アンプ動作制御信号ＣＡＶ１，ＣＡＶ６３がロウレベルとなって階調アンプＡＶ０のみがオン動作する。また、切替制御信号ＣＶ０がハイレベルとなり、Ｖ０切替回路２６３から階調電圧Ｖ０´が出力され、Ｖ６３切替回路２６４から階調電圧Ｖ６３´が出力される。そして、ソース出力Ｓｍは、第２フレームでは階調アンプＡＶ６３から出力される階調電圧Ｖ６３´、第３フレームでは階調アンプＶＡ０から出力される階調電圧Ｖ０´となる。
【００８９】
次いで、第４フレームでは、第１フレームと同様に、表示期間において、ソース出力のレベルは、階調電圧Ｖ０からＶ６３の範囲のレベルとなる。
【００９０】
非表示期間においては、アンプ動作制御信号ＡＶ０，ＡＶ１がロウレベルとなり、階調アンプＡＶ６３のみがオン動作して、他の階調アンプＡＶ０，ＡＶ１，・・・，ＡＶ６２がオフ動作する。また、切替制御信号ＣＶ０がハイレベルとなり、Ｖ０切替回路２６３から階調電圧Ｖ０´が出力され、Ｖ６３切替回路２６４から階調電圧Ｖ６３´が出力される。そして、ソース出力Ｓｍは、階調アンプ階調ＡＶ６３から出力される電圧Ｖ６３´となる。
【００９１】
このとき、非表示領域１０Ｂの各画素容量１４に印加、充電される電圧の大きさは、共通電圧ＶＣＯＭがロウレベルであるので、｜ＶＣＯＭＬ−Ｖ６３´｜、となり、ほぼ０Ｖとなる。
【００９２】
従って、第２実施形態の駆動制御方法によれば、各フレームの非表示期間において非表示領域１０Ｂの各画素容量１４に印加、充電される電圧は、次式で与えられる。
（（共通電圧ＶＣＯＭの振幅）−（ソース出力Ｓｍの振幅））／２
＝（｜ＶＣＯＭＨ−ＶＣＯＭＬ｜−｜Ｖ０´−Ｖ６３´｜）／２
【００９３】
ここで、階調電圧Ｖ０´，Ｖ６３´は、上述のように、その電圧差が共通電圧ＶＣＯＭの振幅にほぼ等しくなるように設定される。従って、非表示領域１０Ｂの各画素容量１４に印加、充電される電圧はほぼゼロとなる。このため、非表示領域１０Ｂの各画素容量１４の充電電荷のリークによるフリッカの発生を、ほぼ抑制することができる。
【００９４】
このように、第２実施形態における階調電圧生成回路２６Ｃでは、表示データの階調数に応じた階調電圧Ｖ０，Ｖ１，・・・，Ｖ６３に加えて、最高階調電圧Ｖ０より高い階調電圧Ｖ０´と、最低階調電圧Ｖ６３より低い階調電圧Ｖ６３´とが生成される。この階調電圧Ｖ０´，Ｖ６３´は、その電圧差が共通電圧ＶＣＯＭの振幅とほぼ一致するように生成される。そして、各フレームの非表示期間において、階調電圧Ｖ０´，Ｖ６３´の何れかがソース出力Ｓｍとして選択されるように制御される。このため、非表示期間における各画素容量１４への印加電圧をほぼゼロとすることができ、各表示画素の充電電荷のリークによるフリッカの発生を抑制できる
【００９５】
尚、上述した２つの実施形態では、フレーム単位で共通電圧ＶＣＯＭを極性反転するフレーム反転駆動を行うこととしたが、ライン単位で共通電圧ＶＣＯＭを極性反転するライン反転の場合であっても同様に適用可能である。
【図面の簡単な説明】
【００９６】
【図１】第１実施形態における階調電圧生成回路の構成図。
【図２】第１実施形態における駆動制御を説明するためのタイムチャート。
【図３】第２実施形態における階調電圧生成回路の構成図。
【図４】従来の駆動制御を説明するためのタイムチャート。
【図５】第２実施形態における駆動制御を説明するためのタイムチャート。
【図６】液晶表示装置の構成図。
【図７】表示画素の等価回路。
【図８】ソース駆動回路の構成図。
【図９】従来の階調電圧生成回路の構成図。
【図１０】液晶表示パネルの表示領域及び非表示領域の設定例。
【図１１】従来の駆動制御を説明するためのタイムチャート。
【図１２】従来の駆動制御を説明するためのタイムチャート。
【符号の説明】
【００９７】
１  液晶表示装置
１０  液晶表示パネル
Ｌｓ  信号ライン
Ｌｇ  走査ライン
１４  画素容量
２０  ソース駆動回路
２１  シフトレジスタ
２２  データレジスタ
２３  ラッチ回路
２４  選択回路
２５  出力バッファ
２６（２６Ａ，２６Ｂ，２６Ｃ）  階調電圧生成回路
２６１Ａ，２６１Ｃ  電圧レベル作成回路
２６２Ａ，２６２Ｃ  γ調整回路
２６３  Ｖ０切替回路
２６４  Ｖ６３切替回路
２６５Ａ，２６５Ｂ，２６５Ｃ  階調アンプ群
ＡＶ（ＡＶ０，ＡＶ１，・・・，ＡＶ６３）  階調アンプ
３０  ゲート駆動回路
４０  ＲＧＢデコーダ
５０  ＶＣＯＭ生成回路
６０  ＬＣＤコントローラ
７０  電圧生成回路
ＣＡＶ（ＣＡＶ０，ＣＡＶ１，・・・，ＣＡＶ６３）  アンプ動作制御信号
ＶＣＯＭ  共通電圧
【図１】
2007017597.tif 000003
【図２】
2007017597.tif 000004
【図３】
2007017597.tif 000005
【図４】
2007017597.tif 000006
【図５】
2007017597.tif 000007
【図６】
2007017597.tif 000008
【図７】
2007017597.tif 000009
【図８】
2007017597.tif 000010
【図９】
2007017597.tif 000011
【図１０】
2007017597.tif 000012
【図１１】
2007017597.tif 000013
【図１２】
2007017597.tif 000014